(57)【特許請求の範囲】
【請求項１】
エネルギー管理装置を介して取得した複数の管理対象機器の情報の少なくともひとつを表示する通信端末であって、
前記複数の管理対象機器の一が管理対象外となった情報を前記エネルギー管理装置から通信にて取得した場合、当該管理対象機器が管理対象外となった旨の表示をする通信端末。
【請求項２】
請求項１に記載の前記通信端末と前記エネルギー管理装置と前記管理対象機器とを備えるエネルギー管理システム。
【請求項３】
請求項２に記載のエネルギー管理システムであって、
前記エネルギー管理装置と前記管理対象機器は第１のプロトコルで通信し、前記エネルギー管理装置と前記通信端末は第２のプロトコルで通信するエネルギー管理システム。
【請求項４】
請求項３に記載のエネルギー管理システムであって、
前記エネルギー管理装置は、前記通信端末から前記第２のプロトコルによって前記管理対象機器の状態に関する情報が要求されると、前記第１のプロトコルによって入手した前記情報を前記第２のプロトコルを用いて前記通信端末に出力するエネルギー管理システム。
【請求項５】
エネルギー管理装置を介して取得した複数の管理対象機器の情報の少なくともひとつの表示が可能な通信端末であって、
前記複数の管理対象機器の一が管理対象外となった情報を前記エネルギー管理装置から通信にて取得した場合、管理対象外となった管理対象機器に関する情報の表示は行わない通信端末。
【請求項６】
請求項５に記載の前記通信端末と前記エネルギー管理装置と前記管理対象機器とを備えるエネルギー管理システム。
【請求項７】
請求項６に記載のエネルギー管理システムであって、
前記エネルギー管理装置と前記管理対象機器は第１のプロトコルで通信し、前記エネルギー管理装置と前記通信端末は第２のプロトコルで通信するエネルギー管理システム。
【請求項８】
請求項７に記載のエネルギー管理システムであって、
前記エネルギー管理装置は、前記通信端末から前記第２のプロトコルによって前記管理対象機器の状態に関する情報が要求されると、前記第１のプロトコルによって入手した前記情報を前記第２のプロトコルを用いて前記通信端末に出力するエネルギー管理システム。
【請求項９】
エネルギー管理装置を介して取得した複数の管理対象機器の情報の少なくともひとつを表示する通信端末のプログラムであって、
前記複数の管理対象機器の一が管理対象外となった情報を前記エネルギー管理装置から通信にて取得した場合、当該管理対象機器が管理対象外となった旨の表示をするよう前記通信端末を制御するプログラム。
【請求項１０】
エネルギー管理装置を介して取得した複数の管理対象機器の情報の少なくともひとつの表示が可能な通信端末のプログラムであって、
前記複数の管理対象機器の一が管理対象外となった情報を前記エネルギー管理装置から通信にて取得した場合、管理対象外となった管理対象機器に関する情報の表示は行わないよう前記通信端末を制御するプログラム。
【発明の詳細な説明】
【技術分野】
【０００１】
本発明は、需要家に設けられる負荷機器および分散電源などの管理対象の状態の管理可能なエネルギー管理システム、通信端末、およびエネルギー管理装置に関する。
【背景技術】
【０００２】
近年、需要家ごとに設けられるエネルギー管理装置（例えば、ＨＥＭＳ：Ｈｏｍｅ Ｅｎｅｒｇｙ ＭａｎａｇｅｍｅｎｔＳｙｓｔｅｍ）によって、需要家に設けられる負荷機器および分散電源などの管理対象を制御する技術が知られている（特許文献１参照）。
【先行技術文献】
【特許文献】
【０００３】
【特許文献１】特開２００３−３０９９２８号公報
【発明の概要】
【発明が解決しようとする課題】
【０００４】
管理対象の制御のためにも、管理対象の状態を需要家に報知することが求められていた。例えば、需要家は、パソコン、ＰＤＡなどのタブレット型コンピュータ、およびスマートフォンなどの通信端末を用いて、エネルギー管理装置にアクセスし、これらの通信端末を用いて管理対象の状態を確認することが考えられる。しかし、どのような方式により管理対象の状態を通信端末に提供するかについては検討されていなかった。
【０００５】
したがって、かかる事情に鑑みてなされた本発明の目的は、管理対象の状態を適切な方法で通信端末に提供可能なエネルギー管理システム、通信端末、およびエネルギー管理装置を提供することにある。
【課題を解決するための手段】
【０００６】
上述した諸課題を解決すべく、第１の観点によるエネルギー管理システムは、管理対象と第１のプロトコルで通信を行うエネルギー管理装置と、前記第１のプロトコルと異なる第２のプロトコルで前記エネルギー管理装置と通信を行う第１の通信端末と、を備え、前記エネルギー管理装置は、前記第１の通信端末から前記第２のプロトコルによって前記管理対象の状態に関する情報が要求されると、前記第１のプロトコルによって入手した前記情報を前記第２のプロトコルを用いて前記第１の通信端末に出力することを特徴とする。
【０００７】
また、第２の観点による通信端末は、管理対象と第１のプロトコルによって通信を行うエネルギー管理装置に対して、前記第１のプロトコルと異なる第２のプロトコルで通信を行う通信端末であって、前記管理対象の状態に関する情報の要求に応じて、前記第１のプロトコルによって入手した前記情報を前記第２のプロトコルにより前記エネルギー管理装置から受信することを特徴とする。
【０００８】
また、第３の観点によるエネルギー管理装置は、管理対象と第１のプロトコルによって通信を行うエネルギー管理装置であって、通信端末から前記第１のプロトコルと異なる第２のプロトコルによって前記管理対象の状態に関する情報が要求されると、前記第１のプロトコルによって入手した前記情報を前記第２のプロトコルを用いて前記第１の通信端末に出力することを特徴とする。
【発明の効果】
【０００９】
上記のように構成された本発明に係るエネルギー管理システム、通信端末、およびエネルギー管理装置によれば、管理対象の状態を適切な方法で通信端末に提供可能である。
【図面の簡単な説明】
【００１０】
【図１】本発明の一実施形態に係るエネルギー管理装置を含むエネルギー管理システムの概略構成を示す機能ブロック図である。
【図２】エネルギー管理装置が実行する応答処理を示すフローチャートである。
【図３】第１の通信端末が実行する更新処理を示すフローチャートである。
【発明を実施するための形態】
【００１１】
以下、本発明の実施形態について、図面を参照して説明する。
【００１２】
まず、一実施形態に係るエネルギー管理システムについて説明する。本実施形態に係るエネルギー管理システムは、電力系統（商用電源）から供給される電力の他に、分散電源を備える。分散電源としては、例えば太陽光発電あるいは風力など再生可能エネルギーによって電力を供給するシステム、および電力を充放電することができる蓄電池システムのうち少なくとも一方を備えることが好適である。
【００１３】
また、電力を供給するシステムは、太陽光発電および蓄電池によって電力を供給するシステムに限定されるものではなく、例えばＳＯＦＣ（Solid Oxide Fuel Cell）などの燃料電池を含む燃料電池システムなど、種々の発電システムとすることができる。以下説明する本実施形態においては、発電システムとして太陽光発電システムを備え、さらに蓄電池システムとして蓄電部を備える例について説明する。
【００１４】
図１は本発明の実施形態に係るエネルギー管理システム１０の概略構成を示すブロック図である。本実施形態に係るエネルギー管理システム１０は、スマートメータ１１、パワーコンディショナ１２、太陽光発電システム１３、蓄電部１４、分電盤１５、負荷機器１６、エネルギー管理装置１７、第１の通信端末１８、および第２の通信端末１９を備える。
【００１５】
図１において、各機能ブロックを結ぶ実線は、電力の流れを表す。また、図１において、各機能ブロックを結ぶ破線は、制御信号または通信される情報の流れを表す。当該破線が示す通信の物理層は多様な伝送メディアを適用可能である。例えば、エネルギー管理装置１７と負荷機器１６との通信の物理層としては、電力線搬送通信（ＰＬＣ：Power LineCommunication）などの有線通信を適用可能である。また、エネルギー管理装置１７と、スマートメータ１１、パワーコンディショナ１２、第１の通信端末１８、および第２の通信端末１９との通信の物理層に、無線ルータを介した無線通信を適用可能である。無線ルータはエネルギー管理装置１７に内蔵されていてもよく、またエネルギー管理装置１７とは別に備えられてもよい。また、エネルギー管理装置１７と、負荷機器１６との通信の物理層に赤外線通信などの無線通信を適用することもできる。
【００１６】
エネルギー管理システム１０において、エネルギー管理装置１７と、スマートメータ１１、パワーコンディショナ１２、負荷機器１６、第１の通信端末１８、および第２の通信端末１９との通信に、第１のプロトコルを適用する。本実施形態において、第１のプロトコルは、例えば、ＥＣＨＯＮＥＴ  Ｌｉｔｅ（登録商標）である。ただし、ＺｉｇＢｅｅ（登録商標）のＳＥＰ２．０、ＥＣＨＯＮＥＴ（登録商標）、およびＫＮＸ（登録商標）などの通信プロトコルを第１のプロトコルとして適用可能である。さらに、エネルギー管理システム１０において、エネルギー管理装置１７と第１の通信端末１８および第２の通信端末１９との通信に第２のプロトコルを適用する。第２のプロトコルは例えばＨＴＴＰである。ここで、第１のプロトコルおよび第２のプロトコルの物理層については有線あるいは無線のいずれでもよく、直接通信する機器同士で共通さえしていればよい。そして、エネルギー管理装置１７と負荷機器１６との通信の論理層で前述の第１のプロトコルが用いられていることがさらに望ましい。
【００１７】
エネルギー管理システム１０は、商用電源５０から供給される電力の他、太陽光発電システム１３が発電する電力、および蓄電部１４に充電された電力のうち放電された電力を、負荷機器１６およびエネルギー管理装置１７に供給可能である。
【００１８】
スマートメータ１１は、商用電源５０に接続されて、商用電源５０から供給される電力を計測する。また、スマートメータ１１は、パワーコンディショナ１２にも接続されて、太陽光発電システム１３が発電して電力会社に売電する電力を計測する。
【００１９】
また、スマートメータ１１は、系統ＥＭＳ（Energy Management System）６０から、例えば電力に関する予測などの情報を受信可能である。ここで、系統ＥＭＳ６０は、電力に関する各種の予測および制御などを行う設備であり、一般的には、例えば電力会社などに設置される。系統ＥＭＳ６０は、例えばＭＤＭＳ（メータデータマネジメントシステム）を構成するものを採用可能である。この系統ＥＭＳ６０は、各種の電力に関する情報を記憶するデータベース６１を有しており、スマートメータ１１が計測した結果の情報を収集して蓄積することもできる。また、系統ＥＭＳ６０は、インターネットなどの外部ネットワーク７０に接続可能である。
【００２０】
また、スマートメータ１１は水道メータ３０およびガスメータ３１に接続可能であり、水道メータ３０およびガスメータ３１から、それぞれ水道の供給量およびガスの供給量を取得する。
【００２１】
パワーコンディショナ１２は、太陽光発電システム１３および蓄電部１４から供給される直流の電力を、交流の電力に変換する。また、パワーコンディショナ１２は、変換した交流の電力を、分電盤１５で複数に分岐した支幹を介して各負荷機器１６に供給する。また、パワーコンディショナ１２は、太陽光発電システム１３が発電した電力に余剰がある場合には、変換した交流の電力を、分電盤１５を介して電力会社に売電することもできる。また、パワーコンディショナ１２は、商用電源５０から供給される交流の電力を、蓄電部１４に充電するための直流の電力に変換可能である。
【００２２】
太陽光発電システム１３は、太陽光を利用して発電する。このため、太陽光発電システム１３は、太陽電池を備えており、太陽光のエネルギーを直流の電力に変換する。本実施形態において、太陽光発電システム１３は、例えば家の屋根などにソーラパネルを設置して、太陽光を利用して発電するような態様を想定している。しかしながら、本発明において、太陽光発電システム１３は、太陽光のエネルギーを電力に変換できるものであれば、任意のものを採用することができる。
【００２３】
太陽光発電システム１３が発電する電力は、上述したように、パワーコンディショナ１２によって交流に変換されてから、各負荷機器１６へ供給、および／または、電力会社に売電可能である。また、太陽光発電システム１３が発電した電力により、蓄電部１４が充電可能であってもよく、さらには直流のまま負荷機器１６に供給される構成であってもよい。
【００２４】
蓄電部１４は、蓄電池を備えており、この蓄電池に充電された電力を放電することにより、電力を供給可能である。また、蓄電部１４は、商用電源５０または太陽光発電システム１３から供給される電力を充電可能である。また、蓄電部１４から放電される電力も、各負荷機器１６およびエネルギー管理装置１７に供給可能である。
【００２５】
分電盤１５は、供給される電力を複数の支幹に分岐させて各負荷機器１６に分配する。ここで、各支幹には、消費電力の大きい代表的な負荷機器１６が直接接続されるものと、部屋ごとにまとめられたものとがある。前者における負荷機器１６は、例えばエアコン、冷蔵庫、ＩＨクッキングヒータなどであって、支幹電力がすなわち該当カテゴリ機器の使用電力に相当する。後者における負荷機器１６は、各部屋にいくつか設けられているコンセントの組であって、支幹電力がすなわち該当部屋におけるコンセントの全体使用電力に相当する。ここで、コンセントに対し、どのような負荷機器が接続されるかは不定である。
【００２６】
エネルギー管理システム１０に接続される負荷機器１６は、任意の数とすることができる。これらの負荷機器１６は、例えば、テレビ、エアコン、冷蔵庫など、種々の電化製品である。これらの負荷機器１６は分電盤１５を介してパワーコンディショナ１２に接続されて、電力が供給される。
【００２７】
エネルギー管理装置１７は、図１に示すエネルギー管理システム１０における管理対象、例えば分散電源、負荷機器１６、水道の供給、およびガスの供給を管理する。エネルギー管理装置１７は、管理対象の管理のために、管理対象の状態に関する情報を取得する。
【００２８】
例えば、エネルギー管理装置１７は、スマートメータ１１が計測した電力をスマートメータ１１から取得する。また、エネルギー管理装置１７は、水道メータ３０およびガスメータ３１がそれぞれ測定した水道およびガスの供給量を、スマートメータ１１を介して取得する。また、エネルギー管理装置１７は、太陽光発電システム１３の発電した電力および蓄電部１４に充電または放電される電力を、パワーコンディショナ１２を介して取得する。また、エネルギー管理装置１７は、負荷機器１６の消費電力および／または負荷機器１６の駆動状態、例えばエアコンおよび冷蔵庫であれば設定温度、テレビおよび灯具であれば設定照度などを負荷機器１６から第１のプロトコルにより取得する。
【００２９】
エネルギー管理装置１７は、取得した管理対象の状態に関するデータベース２５に蓄積する。エネルギー管理装置１７は、データベース２５に蓄積した情報を、必要に応じてデータベース２５から読出す。
【００３０】
また、エネルギー管理装置１７は、第１の通信端末１８の要求に応じて、管理対象の状態に関する情報を第１の通信端末１８に出力する。
【００３１】
さらに、エネルギー管理装置１７は、エネルギー管理システム１０を管理するための管理ページの画像を、ＨＴＭＬおよびＪａｖａ  Ｓｃｒｉｐｔ(登録商標)などのスクリプト言語で書かれたソースとして作成することも可能である。エネルギー管理装置１７は、第２の通信端末１９の要求に応じて、作成した管理ページの画像を、第２の通信端末１９に出力する。エネルギー管理装置１７による状態に関する情報の出力、管理ページの画像の作成、および管理ページの画像の出力についての詳細は後述する。
【００３２】
第１の通信端末１８はディスプレイを有する端末であり、例えばスマートフォンまたはタブレット型コンピュータである。第１の通信端末１８は、エネルギー管理システム１０を管理するアプリケーションソフトウェアを実行する。第１の通信端末１８は、当該アプリケーションソフトウェアを実行中に、エネルギー管理装置１７に対し、周期的、あるいは必要に応じて管理対象の多様な状態に関する情報を要求する。すなわち、第１の通信端末１８は、当該アプリケーションソフトウェアを実行中に、要求した情報をエネルギー官吏装置１７から取得する。また、第１の通信端末１８は、当該アプリケーションソフトウェアを実行中に、取得した情報を多様な表示形式で表示する画像を作成する。さらに、第１の通信端末１８は、当該アプリケーションソフトウェアの実行中に、作成した画像をディスプレイに表示する。第１の通信端末１８による情報の要求、取得、画像の作成、および表示についての詳細は後述する。
【００３３】
第２の通信端末１９はディスプレイを有し、管理ページを閲覧するためのブラウザを実行可能な端末であり、例えばパソコンまたはノートパソコンである。第２の通信端末１９は、ブラウザの実行中に、エネルギー管理装置１７に対し、周期的、あるいは必要に応じて管理ページの画像を要求可能である。すなわち、第２の通信端末１９は、当該ブラウザの実行中に、要求した管理ページの画像をソースとしてエネルギー管理装置１７から取得可能である。また、第２の通信端末１９は、当該ブラウザの実行中に、取得した管理ページのソースを当該ブラウザあるいは第２の通信端末１９の表示能力に適した形式で調整した画像をディスプレイに表示可能である。管理ページの画像の要求、取得、および表示についての詳細は後述する。
【００３４】
次に、エネルギー管理装置１７による多様な情報の出力と、第１の通信端末１８による多様な情報の要求、取得、画像の作成、および表示とについて、以下に説明する。
【００３５】
第１の通信端末１８は、エネルギー管理システム１０を管理するアプリケーションソフトウェアが実行されると、まずエネルギー管理システム１０と第１の通信端末１８との間の通信の物理層、および第１の通信プロトコルを確立する。そして、このアプリケーションソフトウェアの実行中に、エネルギー管理装置１７の管理対象の状態を、多様な表示形式に加工し、ディスプレイに表示する。
【００３６】
例えば、第１の通信端末１８は、商用電源５０から供給される電力の履歴、電力会社に売電する電力の履歴、水道の供給量の履歴、ガスの供給量の履歴、太陽光発電システム１３の発電電力の履歴、蓄電部１４の充放電の履歴、負荷機器１６の消費電力および駆動状態の履歴を、例えば棒グラフおよび折れ線グラフなどの表示形式により表示する。また、第１の通信端末１８は、現在駆動中の負荷機器１６の消費電力の割合を円グラフおよび面グラフなどの表示形式により表示することも可能である。
【００３７】
第１の通信端末１８には、当該アプリケーションソフトウェアの実行中に、ディスプレイに表示させる管理対象、状態の種類、および表示形式を入力可能である。第１の通信端末１８は、当該アプリケーションソフトウェアの実行中に入力を検出すると、入力内容に応じた管理対象の状態の情報を第１のプロトコルでエネルギー管理装置１７に要求する。
【００３８】
エネルギー管理装置１７は、第１の通信端末１８からの要求を取得すると、当該要求においてアクセスするポート番号により用いるプロトコルを認識する。ポート番号が第１のプロトコルに対応するポート番号（例えば３６１０番）であるときに、エネルギー管理装置１７は、当該要求が第１のプロトコルによる要求であると認識する。エネルギー管理装置１７は、当該要求に基づいて、データベース２５から要求された管理対象の状態に関する情報を読出し、読出した情報を第１のプロトコルで、第１の通信端末１８に出力する。
【００３９】
第１の通信端末１８は、当該アプリケーションソフトウェアの実行中に要求した情報を取得すると、取得した情報に基づいて、入力を検知した表示形式の画像を作成する。第１の通信端末１８は、当該アプリケーションソフトウェアの実行中に、作成した画像をディスプレイに表示する。第１の通信端末１８は、このようにして作成した画像を表示した状態で、管理対象の状態に関する情報を新たに取得すると、その都度、表示中の画像のパラメータを調整した画像を再度作成し、表示を更新する。
【００４０】
次に、エネルギー管理システム１０を管理するアプリケーションソフトウェアによる特定の管理対象に関する状態の作成の禁止について説明する。当該アプリケーションソフトウェアは、汎用のエネルギー管理装置１７による管理対象として想定されるすべての管理対象の多様な状態を多様な表意形式で表示する画像を作成可能となるように、予め作成されている。
【００４１】
しかし、需要家によっては、想定された管理対象の中で、実際には使用されない管理対象が存在し得る。例えば、分散電源として数種類が想定されていても実際にはその一部だけ、またはすべてが設けられていないケース、水道メータから水道の供給量がエネルギー管理装置１７に通知されない構成になっているケース、ガスメータからガスの供給量をエネルギー管理装置１７に通知していないケース、および一部の負荷機器１６が設けられていないケースなどがあり得る。
【００４２】
エネルギー管理装置１７は、設置者の設定により、想定された管理対象の中で実際に使用されず、エネルギー管理装置１７に管理されない管理対象を認識する。エネルギー管理装置１７は、第１の通信端末１８に、エネルギー管理装置１７に管理されない管理対象を通知する。
【００４３】
第１の通信端末１８は、管理されない管理対象を示す情報をエネルギー管理装置１７から取得すると、以後のエネルギー管理装置１７への当該管理対象の状態に関する情報の要求を停止する。要求の停止とともに、例えば、第１の通信端末１８は、当該管理されない管理対象の状態を表示する入力（あるいは選択）を検出するためのアイコンを非表示にしたり、アイコンの表示をしてもその受付を停止したり、受付けの停止とともに入力の検出時に当該管理対象は非接続状態であり状態表示が出来ない旨を報知するメッセージをディスプレイに表示する。
【００４４】
次に、エネルギー管理装置１７による管理ページの画面の作成および出力と、第２の通信端末１９による管理ページの要求、取得、および表示とについて、以下に説明する。
【００４５】
第２の通信端末１９は、ブラウザを起動し、予め割当てられたＵＲＩを指定すると、エネルギー管理装置１７との間で第２のプロトコルによる接続を確立し、エネルギー管理装置１７に管理ページの画像を第２のプロトコルで要求する。
【００４６】
エネルギー管理装置１７は、第２の通信端末１９からの要求を取得すると、当該要求においてアクセスするポート番号により用いるプロトコルを認識する。ポート番号が第２のプロトコルに対応するポート番号（例えば８０番）であるときに、エネルギー管理装置１７は、当該要求が第２のプロトコルによる要求であると認識する。エネルギー管理装置１７は、当該要求に基づいて、管理ページの画像を第２の通信端末１９に出力する。
【００４７】
第２の通信端末１９は、ブラウザの実行中に管理ページの画像を取得すると、ディスプレイに管理ページを表示する。また、第２の通信端末１９は、管理ページの表示中に、エネルギー管理システム１０を管理するための多様な指令の入力を受付け可能である。受付け可能な指令の中に、特定の管理対象の状態を特定の表示形式で表示する指令も含まれる。表示の指令において選択可能な管理対象、状態の種類、および表示形式は、第１の通信端末１８がアプリケーションソフトウェアにより作成可能な管理対象、状態の種類、および表示形式とそれぞれ同じである。
【００４８】
第２の通信端末１９は、ユーザが管理対象、状態の種類、および表示形式を選択すると、選択された管理対象の状態を、選択された表示形式で表示する画像を第２のプロトコルでエネルギー管理装置１７に要求する。
【００４９】
エネルギー管理装置１７は、第２の通信端末１９からの要求を取得すると、再び当該要求においてアクセスするポート番号により用いるプロトコルを認識する。エネルギー管理装置１７は、第２の通信端末１９の要求に応じてデータベース２５から要求された管理対象の状態に関する情報を読出し、読出した情報に基づいて要求された特定の管理対象の状態を特定の表示形式で表示する画像を作成する。エネルギー管理装置１７は、作成した画像を含む管理ページの画像を第２の通信端末１９に出力する。
【００５０】
第２の通信端末１９は、ブラウザの実行中に画像を含む管理ページを取得すると、ディスプレイに取得した管理ページの画像を表示する。前述のように、第２の通信端末１９で選択可能な管理対象、状態の種類、および表示形式は第１の通信端末１８が表示し得る管理対象、状態の種類、および表示形式とそれぞれ同じである。したがって、第１の通信端末１８で表示可能な管理対象の状態の表示形式の画像と同じ画像を第２の通信端末１９で表示可能である。ただし、第１の通信端末１８および第２の通信端末１９において同じ画像を用いて管理対象の状態を表示可能なことが好ましいが、表示形式が異なる、同じ管理対象の同じ状態を示す画像が表示されてもよい。
【００５１】
次に、エネルギー管理装置１７が、通信端末からアクセスがあるときに実行する応答処理について、図２のフローチャートを用いて説明する。エネルギー管理装置１７は、第１の通信端末１８または第２の通信端末１９からの要求があるときに応答処理を開始する。
【００５２】
ステップＳ１００において、エネルギー管理装置１７は、要求においてアクセスするポート番号が例えば３６１０番であるか８０番であるかを判別する。ポート番号が３６１０番であるときに、プロセスはステップＳ１０１に進む。ポート番号が８０番であるときに、プロセスはステップＳ１０３に進む。
【００５３】
ステップＳ１０１では、エネルギー管理装置１７は、要求された管理対象の状態に関する情報（数値情報）をデータベース２５から読出す。データベース２５からの読出し後、プロセスはステップＳ１０２に進む。
【００５４】
ステップＳ１０２では、エネルギー管理装置１７は、ステップＳ１０１において読出した情報を第１のプロトコルで、情報を要求した通信端末に出力する。情報の出力後に応答処理を終了する。
【００５５】
ステップＳ１０３では、エネルギー管理装置１７は、通信端末の要求が選択された管理対象の状態を表示する画像の要求、すなわちデータベース２５に蓄積された状態に基づく画像の作成要求であるか否かを判別する。画像の作成要求でない、例えば予め作成された画像の要求や設定の変更に関する要求などであるときには、プロセスはステップＳ１０４に進む。画像の作成要求であるときには、プロセスはステップＳ１０５に進む。
【００５６】
ステップＳ１０４では、エネルギー管理装置１７は、取得した要求に応じた指令を実行する。指令の実行後に応答処理を終了する。
【００５７】
ステップＳ１０５では、エネルギー管理装置１７は、要求された管理対象の状態に関する情報（数値情報）をデータベース２５から読出す。データベース２５からの読出し後、プロセスはステップＳ１０６に進む。
【００５８】
ステップＳ１０６では、エネルギー管理装置１７は、ステップＳ１０５において読出した情報を用いて、通信端末からの要求における表示形式で管理対象の状態を示す画像を作成する。画像の作成後、プロセスはステップＳ１０７に進む。
【００５９】
ステップＳ１０７では、エネルギー管理装置１７は、ステップＳ１０６で作成した画像のデータ（ソース・画像情報）を、第２のプロトコル上で画像を要求した通信端末に出力する。画像データの出力後に応答処理を終了する。
【００６０】
次に、第１の通信端末１８が、エネルギー管理装置１７に要求可能な情報を更新をする更新処理について、図３のフローチャートを用いて説明する。第１の通信端末１８は、最初に第１の通信端末１８とエネルギー管理装置１７との間でネゴシエーションした時や設定変更時など、エネルギー管理装置１７から管理されていない管理対象を示す情報を取得するときに、更新処理を開始する。
【００６１】
ステップＳ２００において、第１の通信端末１８は、エネルギー管理システム１０を管理するアプリケーションソフトウェアにおいて想定されている管理対象の中で、実際のエネルギー管理装置１７に管理されていない管理対象を認識する。管理されていない管理対象を認識すると、プロセスはステップＳ２０１に進む。
【００６２】
ステップＳ２０１では、第１の通信端末１８は、管理されていない管理対象（ステップＳ２００において認識した管理対象）の状態に関する情報のエネルギー管理装置１７への要求の停止を決定する。要求の停止を決定すると、更新処理を終了する。要求の停止を決定すると、以降、第１の通信端末１８のアプリケーションソフトウェアは、管理対象の機器の表示（管理対象を選択するためのアイコンなど）を行う際に、当該管理されていない管理対象については表示を行わないようにする。また、表示を行わないことから、ユーザが当該管理されていない管理対象についての情報更新を行うことが無くなる。その後、第１の通信端末１８は、当該管理されていない管理対象以外の管理対象についての情報を第１のプロトコルでエネルギー管理装置１７に要求し、情報を取得すると表示を更新する。
【００６３】
以上のような構成の本実施形態のエネルギー管理装置によれば、エネルギー管理装置１７と負荷機器１６などの管理対象との間の通信に用いている第１のプロトコルによる管理対象の状態を示す情報の要求に対して第１のプロトコルで情報を出力することが可能である。このような構成により、エネルギー管理装置１７および第１の通信端末１８の間において、管理対象となる負荷機器１６、分散電源、水道供給、およびガス供給などを識別するための初期設定および更新設定が不要となる。また、このような構成により、通常であればエネルギー管理装置が実行すべき、管理対象毎のクラス分類および分類したクラスの通信端末への送信という作業が不要となる。
【００６４】
また、本実施形態のエネルギー管理装置によれば、ブラウザにより管理対象の状態の閲覧を望む場合に、アプリケーションで作成される画像と同じ画像を作成可能である。このような構成により、使用者が用いる通信端末が異なっていても同じ画像を閲覧可能となる。
【００６５】
また、本実施形態の通信端末によれば、エネルギー管理装置１７が管理していない管理対象を認識し、当該管理対象に対しては状態に関する情報の要求を停止することが可能である。アプリケーションソフトウェアの設計時には多様な管理対象の状態を表示可能にすべきであっても、すべての管理対象をすべての需要家が保有しているわけではないため、エネルギー管理システム１０にすべての管理対象が含まれているわけではない。このようにエネルギー管理システム１０に含まれていない、すなわち管理されていない管理対象の状態に関する情報が要求されると、通信のトラフィックを無駄に使うことになる。また、管理されていない管理対象に関する画像が表示されると、使用者を混乱させることが考えられる。それゆえ、本実施形態によれば、上述のような構成により、通信のトラフィックの無駄な使用を防止し、使用者の混乱を抑制可能である。
【００６６】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００６７】
例えば、本実施形態において、第１の通信端末１８がアプリケーションソフトウェアを実行することにより管理対象の状態を示す画像をディスプレイに表示するが、第１の通信端末１８がブラウザを実行することにより管理ページをディスプレイに表示することも可能である。また、第２の通信端末１９がブラウザを実行することにより管理ページをディスプレイに表示するが、アプリケーションソフトウェアを実行することにより管理対象の状態を示す画像をディスプレイに表示することも可能である。
【符号の説明】
【００６８】
１０  エネルギー管理システム
１１  スマートセンサ
１２  パワーコンディショナ
１３  太陽光発電システム
１４  蓄電部
１５  分電盤
１６  負荷機器
１７  エネルギー管理装置
１８  第１の通信端末
１９  第２の通信端末
２５  データベース
３０  水道メータ
３１  ガスメータ
５０  商用電源
６０  系統ＥＭＳ（Energy Management System）
６１  データベース
７０  ネットワーク
【図１】
0006467001.tif 000002
【図２】
0006467001.tif 000003
【図３】
0006467001.tif 000004